【事件の表示】
　平成　７年特許願第３１６５９６号「画像情報記録装置」拒絶査定不服審判事件〔平成　８年　９月１３日出願公開、特開平　８−２３４３１９〕について、次のとおり審決する。
【結　論】
　本件審判の請求は、成り立たない。
【理　由】
１．手続の経緯・本願発明
　本願は、特許法第４１条に基づく優先権主張を伴う平成７年１２月５日（優先日：平成６年１２月９日、出願番号：特開平６−３０６５７６号）の出願であって、平成１６年１月２６日付けで拒絶査定がなされ、これに対し、同年３月３日に審判請求がなされるとともに同年３月２５日付けで手続補正がなされたものであって、その請求項８に係る発明は、同年３月２５日付けの手続補正書により補正された明細書及び図面の記載からみて、特許請求の範囲の請求項８に記載された事項により特定される次のとおりのものと認める。
「フィルムを走査して画像情報を出力するフィルム走査手段、
　前記フィルム走査手段の出力する画像情報に基づいてフィルム上のコマ画像が通常画像かパノラマ画像かを判別し、コマ画像判別情報を出力するコマ画像判別手段、
　前記フィルム走査手段の出力する画像情報に基づいてフィルムに記録されている画像を表示する表示手段、
　前記フィルム走査手段の出力する画像情報をコマ毎に書き換え可能な画像情報記録媒体に書き込む書込手段、及び
　前記フィルム走査手段による第１の走査によって第１の画像情報を出力させ、前記コマ画像判別手段により前記第１の画像情報に基づいてコマ画像の種類を判別させ、前記フィルム走査手段による第２の走査を前記コマ画像情報に応じたフィルム上の領域についてのみ行なわせて第２の画像情報を出力させ、前記書込手段によって前記第２の画像情報をコマ毎の画像情報として前記画像情報記録媒体に書き込むように制御する制御手段を具備することを特徴とする画像情報記録装置。」（以下、「本願発明」という）
　
２．引用例
　原査定の拒絶の理由に引用された特開平４−３３８７４２号公報（以下、「刊行物１」という。）には、下記ア）〜サ）の事項が記載されている。
ア）「【０００９】　また、前記画像読取装置は、プレスキャン部とメインスキャン部とを備えており、前記写真フィルムは前記プレスキャン部と前記メインスキャン部との間でループを形成して搬送されることが好ましい。現像後のフィルムをプレスキャンすることにより、フィルムの第１コマ目の画面位置を検出してその後の処理のタイミング基準を設定することができる。また、プレスキャンによりフィルムの濃度を検出して露光がオーバーであったかアンダーであったかなどを判別することができ、これをもとにメインスキャン部での画像読取条件を制御したり、画像処理部での演算条件を制御したり、更にプリント装置においてフィルムのオーバー露光やアンダー露光を補償するようにプリントすることができる。」（【０００９】段落）
イ）「【００１３】　ネガフィルムを湿式現像する自動現像装置２は、撮影済フィルム４を収容したパトローネ６を装着した後に、該フィルム４を現像槽８、漂白槽１０、定着槽１２、水洗槽１４、乾燥部１６に順次搬送してカラー現像する構成である。また、自動現像装置２は乾燥部１６に隣接して画像読取装置１８が設けられており、該画像読取装置１８により現像後のフィルム４の画像を読み取り、読み取った画像を光電変換して画像信号を得られるようになっている。・・・」（【００１３】段落）
ウ）「【００１４】　画像読取装置１８は自動現像装置２の全体の動作を制御するＣＰＵ２０に接続されて作動を制御される。ＣＰＵ２０は操作キー２２から入力されるスタート信号によりカラー現像処理の制御を開始し、現像処理に引き続いて画像読取装置１８を制御する。
【００１５】　画像読取装置１８は入力切換部２４を介して画像処理装置２６に接続されている。画像処理装置２６は別のＣＰＵ２８に接続されており、操作キー３０からの入力信号に基づいてＣＰＵ２８が画像処理装置２６の作動を制御する。・・・」（【００１４】〜【００１５】段落）
エ）「【００１６】　・・・入力切換部２４は操作キー３０からの入力情報に基づいてＣＰＵ２８により作動を制御され、自動現像装置２からの画像情報又はピースフィルム読取装置３２からの画像情報のいずれかを画像処理装置２６に供給する。入力切換部２４は、自動現像装置２の画像読取装置１８が作動中のとき、少なくとも一本分のフィルム４の処理が終了するまで自動現像装置２からの画像情報が画像処理装置２６に供給されるように作動する。・・・」（【００１６】段落）
オ）「【００１８】　また、画像処理装置２６にはモニタ５０が接続されておりプリント装置３４へ供給する画像情報を画像として表示することができ、作業者が実際のプリント前に画像を確認することができる。」（【００１８】段落）
カ）「【００２０】　図２は自動現像装置２に備えた画像読取装置１８の構成図である。画像読取装置１８はプレスキャン部５４とメインスキャン部５６とを備えている。プレスキャン部５４及びメインスキャン部５６はＣＰＵ２０により作動を制御される。プレスキャン部５４は光源５８、スリット板６０、レンズ６２及び受光素子６４を備え、搬送ローラ６６がフィルム４を矢印Ａで示す方向に搬送することによりフィルム４がスリット走査され、フィルム４を透過した光が受光素子６４に達して画像が読み取られる。なお、プレスキャン部５４は高解像力を要求されず、フィルム４に画像があるかないか、及び画像がオーバー露光かアンダー露光かなどを判別できる程度に読み取れればよく、図示のように受光素子６４は一つでもよい。受光素子６４に達した光は電気信号に変換されてＣＰＵ２０に供給される。ＣＰＵ２０は画像の有無、濃度、画面サイズ（フルサイズ、ハーフサイズ、パノラマサイズ）等を判別し、更にメインスキャン部５６での画像読取範囲を制御したり、光源光量や受光素子の蓄積時間などの画像読取条件を調整する。
【００２１】　プレスキャン部５４を通過したフィルム４は、プレスキャン部５４とメインスキャン部５６との間でループを形成するように搬送されてメインスキャン部５６へ達する。メインスキャン部５６は光源６８、レンズ７０，７２，７４、スリット板７６、ダイクロイックミラー７８，８０及び３色の光に対応した受光素子８２，８４，８６を備えている。そして、プレスキャン部５４と同様に搬送ローラ６６がフィルム４を矢印Ａで示す方向に搬送することによりフィルム４がスリット走査され、フィルム４を透過した光が色分解された後に各受光素子８２，８４，８６に達して画像が読み取られる。メインスキャン部５６において、フィルム４を透過した光はダイクロイックミラー７８，８０により３色に分解されてから受光素子８２，８４，８６に達する。受光素子８２，８４，８６は例えば２０００〜５０００画素のラインＣＣＤであり、１ラインごとに３色同時測光を行う。受光素子８２，８４，８６に達したＲ、Ｇ、Ｂの各光は電気信号に変換されてプリアンプ８８に供給され、プリアンプ８８において増幅された後に前記入力切換部２４に供給される。なお、画像読取方式としてはラインＣＣＤを用いる以外に、コマの大きさに対応したエリアセンサを用いて３色のそれぞれについて面順次測光する方式、ＦＳＳ（フライング・スポット・スキャナ）を光源としてフィルム４を静止状態で照明し、フィルム４を透過した光をＲＧＢそれぞれの色に対応した３つの単色センサで測光する方式でもよい。
【００２２】　プレスキャン部５４及びメインスキャン部５６では、光学系が固定されフィルム４が移動することにより読取走査される。したがって、フィルム移動のための搬送ローラ６６は自動現像装置２から駆動力を得ることができ、別個に原動機を備える必要はない。なお、プレスキャン部５４及びメインスキャン部５６は、フィルム４を停止させた状態で光学系を移動させて読取走査する構成であってもよい。」（【００２０】〜【００２２】段落）
キ）「【００２３】　・・・更にフィルムの読取情報から画面サイズ（フルサイズ、ハーフサイズ、パノラマサイズ）の検出も行うことができるが、その具体的な演算方法は特開昭５４−１０３０３２号公報等に開示されている。
【００２４】　プレスキャン部５４はフィルム４の第１コマを検出するのはもちろんであるが、更にその後の各コマを検出する。そして、プレスキャン部５４からの各コマの検出信号に基づいて、ＣＰＵ２０がコマの位置を判断し、コマの位置を認識しながらメインスキャン部５６が作動する。・・・」（【００２３】〜【００２４】段落）
ク）「【００２５】　メインスキャン部５６により読み取って得たフィルム４の画像情報は入力切換部２４を介して画像処理装置２６に供給され、必要に応じて濃度補正、階調補正、色補正、輪郭強調、倍率変更、回転等の処理が施される。・・・」（【００２５】段落）
ケ）「【００２７】　画像処理装置２６はフレームメモリを備えており、フィルム４の少なくとも１コマ分の画像情報を記憶することができる。例えばフィルム４が３５ｍｍ幅の撮影フィルムである場合、フィルム４によってフルサイズ、ハーフサイズ、パノラマ等の画像がある。画像処理装置２６は画像読取装置１８のプレスキャン部５４で検出した画像サイズに応じて、フレームメモリから画像情報を読み出す順を変えて、駆動回路４８に画像情報を供給する。・・・」（【００２７】段落）
コ）「【００３３】　また、画像の読取操作に先立ちフィルムをプレスキャンして、フィルムの各コマ毎の画面位置、画面サイズを検出することにより、その後の処理の条件（メインスキャンの範囲、読取条件等）を適切に設定でき、正確な処理を行うことができる。
　更に、フィルムをプレスキャンして読み取った画像情報に基づいて、プリントする画像情報を補正処理することができ、画像の仕上がり品質が向上する。」（【００３３】段落）
サ）図１のブロック構成図には、ＣＰＵ２０及び２８により装置が制御される構成が記載されている。
　
　上記記載全体からみて、メインスキャン部５６によるフィルム４の読取走査がコマ単位で行われていることは明白である。
　また、フレームメモリに画像情報を記憶する以上、画像情報をフレームメモリに書き込む書込手段を備えているのは明白である。
　さらに、モニタ５０に表示される画像がフィルム４に記録されている画像であり、それは、画像読取装置１８の出力する画像情報に基づいたものであることも、明白である。
　よって、これらの記載事項から、刊行物１には、
「フィルム４を走査して画像情報を出力する画像読取装置１８、
　前記画像読取装置１８の出力する画像情報に基づいてフィルム４の各コマ毎の画面サイズがフルサイズかパノラマサイズかを判別するＣＰＵ２０、
　前記画像読取装置１８の出力する画像情報に基づいてフィルム４に記録されている画像を表示するモニタ５０、
　前記画像読取装置１８の出力する画像情報をフレームメモリに書き込む書込手段、及び
　前記画像読取装置１８のプレスキャン部５４による走査によってプレスキャンの画像情報を出力させ、前記ＣＰＵ２０により前記画像情報に基づいて各コマ毎の画面サイズを判別させ、前記画像読取装置１８のメインスキャン部５６による走査を行なわせてメインスキャンの画像情報を出力させ、前記書込手段によって前記メインスキャンの画像情報をコマ毎の画像情報として書き込むように制御するＣＰＵ２０及び２８を具備する装置。」
の発明（以下、「引用発明」という。）が記載されている。
　
３．対比
　本願発明と上記引用発明とを比較する。
　引用発明の「画像読取装置１８」、「フルサイズ」、「パノラマサイズ」、「ＣＰＵ２０」、「モニタ５０」、「プレスキャン部５４による走査」、「プレスキャンの画像情報」、「メインスキャン部５６による走査」、「メインスキャンの画像情報」、「各コマ毎の画面サイズ」、及び「ＣＰＵ２０及び２８」は、本願発明の「フィルム走査手段」、「通常画像」、「パノラマ画像」、「コマ画像判別手段」、「表示手段」、「第１の走査」、「第１の画像情報」、「第２の走査」、「第２の画像情報」、「コマ画像の種類」、及び「制御手段」に相当する。
　また、引用発明の「フレームメモリ」と、本願発明の「コマ毎に書き換え可能な画像情報記録媒体」とは、画像情報記録手段という上位概念で一致する。
　さらに、引用発明の「装置」と、本願発明の「画像情報記録装置」とは、「装置」という上位概念で一致する。
　したがって、両者は、
「フィルムを走査して画像情報を出力するフィルム走査手段、
　前記フィルム走査手段の出力する画像情報に基づいてフィルム上のコマ画像が通常画像かパノラマ画像かを判別するコマ画像判別手段、
　前記フィルム走査手段の出力する画像情報に基づいてフィルムに記録されている画像を表示する表示手段、
　前記フィルム走査手段の出力する画像情報を画像情報記録手段に書き込む書込手段、及び
　前記フィルム走査手段による第１の走査によって第１の画像情報を出力させ、前記コマ画像判別手段により前記第１の画像情報に基づいてコマ画像の種類を判別させ、前記フィルム走査手段による第２の走査を行なわせて第２の画像情報を出力させ、前記書込手段によって前記第２の画像情報をコマ毎の画像情報を書き込むように制御する制御手段を具備することを特徴とする装置。」
である点で一致し、次の点で相違する。
　
［相違点１」
　コマ画像判別手段が、本願発明では「コマ画像判別情報を出力する」のに対して、引用発明では「コマ画像判別情報を出力する」旨の限定がない点。
　
［相違点２］
　画像情報記録手段が、本願発明では「コマ毎に書き換え可能な画像情報記録媒体」であるのに対し、引用発明では「フレームメモリ」であって「画像情報記録媒体」ではなく、かつ「コマ毎に書き換え可能な」ものとの限定もない点。
　
［相違点３］
　第２の走査について、本願発明では「前記コマ画像情報に応じたフィルム上の領域についてのみ」行なわせるのに対し、引用発明にはそのような限定がない点。
　
［相違点４］
　本願発明は「画像情報記録」装置であるのに対し、引用発明にはそのような限定がない点。
　
４．判断
　上記相違点について検討する。
［相違点１について］
　本願明細書には、コマ画像判別情報の出力に関して、「【００６５】　図７は全体制御部１０の内部演算構成例を示すブロック図である・・・」、「【００６６】・・・次に、計算出力判定手段４６によりパノラマ／３５ｍｍ版の判別結果が出力され、その結果はコマ別ヒストグラム作成手段４７に与えられる。」と記載されており、つまり、コマ画像判別は「全体制御部１０の内部演算」として行われ、その「判別結果」が「全体制御部１０」内の他の演算手段（「コマ別ヒストグラム作成手段４７」）へ出力されるものとして説明されている。これに対し、上記「２．カ）」で摘記したように、引用発明においても、コマ画像判別はＣＰＵ２０にて行われることが記載されている。そして、引用発明のＣＰＵ２０においても、本願発明の実施例と同様に、ＣＰＵ２０にて該判別を行ったならば、その判別結果が、ＣＰＵ２０内の、メインスキャン部５６のメインスキャンの範囲、読取条件等を制御（上記「２．カ）」及び「２．コ）」の記載参照）する他の演算手段に出力されることは当業者にとって明らかであり、よって相違点１が格別の相違ではないことは明らかである。
　
［相違点２及び４について］
　相違点２及び４を合わせて検討する。
　引用発明のフレームメモリは、いわゆる光磁気ディスク等の記録媒体とは異なる画像情報記録手段である。しかし、フィルムを走査した画像情報について、これを書き換え可能な画像情報記録媒体に書き込む画像情報記録装置は、本願優先日前に頒布された刊行物である特開平５−２６０３７２号公報（【０００５】段落「・・ネガフィルムなどの銀塩感光材料の画像を光電的に読み取って記憶媒体に記憶させる装置において・・・」及び【０００２】段落【・・・画像情報を、磁気ディスク・・・など記憶媒体に記憶させ」という記載参照）、及び特開平５−２９０５４８号公報（【請求項１】「光磁気ディスク・・・や磁気テープ等の電子記録媒体に画像・・・を記録する場合に」という記載、及び図４に書き込み元としてフィルムが記載されていることを参照。なお、図４には「走査」という直接的記載はないが、フィルムから電子的画像を得るにあたりフィルムを走査することは自明である。）に記載されているように周知技術である。そして、これら画像情報記録媒体（「磁気ディスク」、「光磁気ディスク」、または「磁気テープ」）にあっては、コマ毎の書き換えが可能であることも、当業者には容易に推察できることである。
　したがって、相違点２及び４に係る本願発明の特定事項は、周知技術に基いて当業者が容易に想到できるものである。
　
［相違点３について］
　上記「２．カ）」及び「２．コ）」で摘記したように、刊行物１には「【００２０】　・・・ＣＰＵ２０は画像の有無、濃度、画面サイズ（フルサイズ、ハーフサイズ、パノラマサイズ）等を判別し、更にメインスキャン部５６での画像読取範囲を制御したり、光源光量や受光素子の蓄積時間などの画像読取条件を調整する。」、及び「【００３３】　また、画像の読取操作に先立ちフィルムをプレスキャンして、フィルムの各コマ毎の画面位置、画面サイズを検出することにより、その後の処理の条件（メインスキャンの範囲、読取条件等）を適切に設定でき、正確な処理を行うことができる。」と記載されており、つまり、プレスキャンで画面サイズを検出することにより、その後のメインスキャンの読取範囲を設定することが示唆されているので、刊行物１の記載から、「前記コマ画像情報に応じたフィルム上の領域についてのみ」第２の走査を行わせることを想到することは容易である。
　したがって、相違点３に係る本願発明の特定事項は、刊行物１の記載に基いて当業者が容易に想到できるものである。
　
　このように、相違点１乃至４に係る本願発明の特定事項は、刊行物１に記載された発明及び周知技術に基いて当業者が容易に想到し得る程度のものであり、また、それによる作用効果も刊行物１の記載及び周知技術から当業者が予測できる範囲内のものである。
　したがって、本願発明は、刊行物１に記載された発明及び周知技術に基いて当業者が容易に発明することができたものであるから、特許法第２９条第２項の規定により特許を受けることができない。
　
５．むすび
　以上のとおり、本願発明は、刊行物１に記載された発明及び周知技術に基いて、当業者が容易に発明をすることができたものであるから、特許法第２９条第２項の規定により特許を受けることができない。
　
　よって、結論のとおり審決する。